(57)【要約】      （修正有）【課題】双方向通信チャネルで端末と通信することを目的とした基地局を含む無線電気通信システムであって、資源のより良い使用を実行できるようなシステムの提供。【解決手段】基地局は、少なくとも一つの補助ダウンリンクシンボルが端末の時間遅延の間に受信できる端末へ、少なくとも一つの補助ダウンリンクシンボルを、ガード期間の間に送信するための手段、及び／又は、少なくとも一つの補助アップリンクシンボルを、少なくとも一つの補助アップリンクシンボルを端末の時間遅延の間に送信できる端末から、ガード期間の間に受信するための手段を備える。【選択図】図４
2007037128.tif 000002
【特許請求の範囲】
【請求項１】
双方向通信チャネルで端末と通信することを目的とした少なくとも一つの基地局を含む無線電気通信システムにおいて、
各チャネルは、ダウンリンクタイムスロット及びアップリンクタイムスロットに分割されたフレームをサポートし、
各ダウンリンクタイムスロットは、少なくとも一つの端末に送信されることを目的とした複数のシンボルを含み、
端末が、アップリンクタイムスロットが後に続くダウンリンクタイムスロットに含まれるすべての前記シンボルを受信した後、前記端末と前記基地局との間の距離に応じた時間遅延で、前記アップリンクタイムスロットで他のシンボルを送信して、そのように送信された前記シンボルが、前記ダウンリンクタイムスロットの前記基地局による前記送信の終了から、前記距離に関わらず一定のあらかじめ定義されたガード期間だけ隔てられた時刻に、前記基地局によって受信されるようにする、無線電気通信システムであって、
前記基地局は、
少なくとも一つの補助ダウンリンクシンボルを、前記少なくとも一つの補助ダウンリンクシンボルを前記端末の前記時間遅延の間に受信できる端末へ、前記ガード期間の間に送信するための手段、及び／又は、
少なくとも一つの補助アップリンクシンボルを、前記少なくとも一つの補助アップリンクシンボルを前記端末の前記時間遅延の間に送信できる前記端末から、前記ガード期間の間に受信するための手段
を備えることを特徴とする、無線電気通信システム。
【請求項２】
前記無線電気通信システムに接続された各端末の前記時間遅延を求めるための手段と、
基地局が、前記基地局から距離ｄにある端末へ、最大でｎｄｌ個の補助ダウンリンクシンボルを送信することを可能にするための手段であって、
前記端末の前記時間遅延は、
ｎｄｌ個のダウンリンクシンボルの継続時間に、受信モードから送信モードへのスイッチングの時間ＲＴＳを加えた時間と、
ｎｄｌ＋１個のダウンリンクシンボルの継続時間に、前記受信モードから前記送信モードへのスイッチングの前記時間ＲＴＳを加えた時間と
の間に含まれる、
補助ダウンリンクシンボルを送信することを可能にするための手段と、
前記端末が、前記ｎｄｌ個の補助ダウンリンクシンボルを受信するとともに処理することを可能にするための手段と
を備えることを特徴とする、請求項１に記載の無線電気通信システム。
【請求項３】
前記無線電気通信システムに接続された各端末の前記時間遅延を求めるための手段と、
前記基地局から距離ｄにある端末が、最大でｎｕｌ個の補助アップリンクシンボルを送信することを可能にするための手段であって、
前記端末の前記時間遅延は、
ｎｕｌ個のアップリンクシンボルの継続時間に、受信モードから送信モードへのスイッチングの時間ＲＴＳを加えた時間と、
ｎｕｌ＋１個のアップリンクシンボルの継続時間に、前記受信モードから前記送信モードへの前記スイッチング時間ＲＴＳを加えた時間と
の間に含まれる、
補助アップリンクシンボルを送信することを可能にするための手段と、
前記基地局が、前記最大でｎｕｌ個の補助アップリンクシンボルを受信するとともに処理することを可能にするための手段と
を備えることを特徴とする、請求項１又は２に記載の無線電気通信システム。
【請求項４】
前記基地局から距離ｄにある前記端末の前記時間遅延を求めるための前記手段は、その端末のラウンドトリップ遅延ＲＴＤ（ｄ）の値を前記ガード期間の値から差し引くための手段を含むことを特徴とする、請求項２又は３に記載の無線電気通信システム。
【請求項５】
前記ガード期間の前記値は、前記考慮対象の基地局から所定の基準距離ｄｒｅｆにある端末の前記ラウンドトリップ遅延ＲＴＤ（ｄｒｅｆ）の前記値に、前記受信モードから前記送信モードへのスイッチング時間ＲＴＳを加えた値によって与えられることを特徴とする、請求項４に記載の無線電気通信システム。
【請求項６】
端末の前記時間遅延が求められない限り、どの補助シンボル内にも情報は含まれないことを特徴とする、請求項１〜５のいずれか一項に記載の無線電気通信システム。
【請求項７】
端末の前記時間遅延が求められない限り、その端末の前記時間遅延は、前記ガード期間に等しいものとみなされることを特徴とする、請求項１〜６のいずれか一項に記載の無線電気通信システム。
【請求項８】
前記無線電気通信システムに接続された各端末に、その端末が適用しなければならない前記時間遅延について通知するための手段を備えることを特徴とする、請求項１〜７のいずれか一項に記載の無線電気通信システム。
【請求項９】
前記基地局は、基準タイムスロットのシンボルに使用するものとは異なる変調方式、符号化方式、及び／又は多重化方式を前記補助シンボルに使用し、
前記基地局は、特定の制御情報を、その補助シンボルを受信できる前記端末へ送信して、前記端末は、前記補助シンボルの検出、復号、及び多重分離を行う
ことを特徴とする、請求項１〜８のいずれか一項に記載の無線電気通信システム。
【請求項１０】
前記基地局は、補助シンボルに関係する前記特定の制御情報をこの補助シンボル内に含むことを特徴とする、請求項９に記載の無線電気通信システム。
【請求項１１】
無線電気通信システムの基地局において、
前記基地局は、双方向通信チャネルで端末と通信することを目的とし、
各チャネルは、ダウンリンクタイムスロット及びアップリンクタイムスロットに分割されたフレームをサポートし、
各ダウンリンクタイムスロットは、少なくとも一つの端末に送信されることを目的とした複数のシンボルを含む、基地局であって、
前記基地局は、
前記基地局に接続された各端末の時間遅延を求めるための手段であって、前記時間遅延は、アップリンクタイムスロットが後に続くダウンリンクタイムスロットに含まれるすべての前記シンボルを受信した後のどの端末も、前記時間遅延で、前記アップリンクタイムスロットで他のシンボルを送信して、前記送信されたシンボルが、前記ダウンリンクタイムスロットの前記基地局による前記送信の終了から、前記距離に関わらず一定のあらかじめ定義されたガード期間だけ隔てられた時刻に、前記基地局によって受信されるような時間遅延である、前記基地局に接続された各端末の時間遅延を求めるための手段と、
少なくとも一つの補助ダウンリンクシンボルを、前記少なくとも一つの補助ダウンリンクシンボルを端末の前記時間遅延の間に受信できる端末へ、前記ガード期間の間に送信するための手段、及び／又は、少なくとも一つの補助アップリンクシンボルを、前記少なくとも補助シンボルを端末の前記時間遅延の間に送信できる端末から、前記ガード期間の間に受信するための手段と
を備えることを特徴とする基地局。
【請求項１２】
前記基地局ＢＴＳは、基地局から距離ｄにある端末へ、最大でｎｄｌ個の補助ダウンリンクシンボルを送信するための手段であって、前記端末の前記時間遅延は、ｎｄｌ個のダウンリンクシンボルの継続時間に、受信モードから送信モードへのスイッチングの時間ＲＴＳを加えた時間と、ｎｄｌ＋１個のダウンリンクシンボルの継続時間に、前記受信モードから前記送信モードへのスイッチングの前記時間ＲＴＳを加えた時間との間に含まれる、補助ダウンリンクシンボルを送信するための手段を備えることを特徴とする、請求項１１に記載の基地局。
【請求項１３】
前記基地局ＢＴＳは、前記基地局から距離ｄにある端末から、最大でｎｕｌ個の補助アップリンクシンボルを受信するための手段であって、前記端末の前記時間遅延は、ｎｕｌ個のアップリンクシンボルの継続時間に、受信モードから送信モードへのスイッチングの時間ＲＴＳを加えた時間と、ｎｕｌ＋１個のアップリンクシンボルの継続時間に、前記受信モードから前記送信モードへのスイッチングの前記時間ＲＴＳを加えた時間との間に含まれる、補助アップリンクシンボルを受信するための手段を備えることを特徴とする、請求項１１又は１２に記載の基地局。
【請求項１４】
基地局から距離ｄにある端末の前記時間遅延を求めるための前記手段は、その端末のラウンドトリップ遅延ＲＴＤ（ｄ）の値を前記ガード期間の値から差し引くための手段を含むことを特徴とする、請求項１２又は１３に記載の基地局。
【請求項１５】
前記ガード期間の前記値は、前記考慮対象の基地局から所定の基準距離ｄｒｅｆにある端末の前記ラウンドトリップ遅延ＲＴＤ（ｄｒｅｆ）の値に、前記スイッチング時間を加えた値によって与えられることを特徴とする、請求項１４に記載の基地局。
【請求項１６】
端末の前記時間遅延が求められない限り、前記基地局は、どのダウンリンク補助シンボル内にも情報を含めないことを特徴とする、請求項１１〜１５のいずれか一項に記載の基地局。
【請求項１７】
前記基地局に接続された各端末に、その端末が適用しなければならない前記時間遅延について通知するための手段を備えることを特徴とする、請求項１１〜１６のいずれか一項に記載の基地局。
【請求項１８】
前記基地局は、基準タイムスロットの前記シンボルに使用するものとは異なる変調方式、符号化方式、及び／又は多重化方式を前記補助シンボルに使用し、
前記基地局は、特定の制御情報を、その補助シンボルを受信できる前記端末へ送信して、前記端末は、前記補助シンボルの検出、復号、及び多重分離を行うことを特徴とする、請求項１１〜１７のいずれか一項に記載の基地局。
【請求項１９】
補助シンボルに関係した前記特定の制御情報をこの補助シンボル内に含むことを特徴とする、請求項１８に記載の基地局。
【請求項２０】
無線電気通信システムの端末であって、
前記システムは請求項１〜１０のいずれか一項に記載のものであり、
前記端末は、前記端末の前記時間遅延の間に補助ダウンリンクシンボルを受信するとともに処理するための手段を備えることを特徴とする、無線電気通信システムの端末。
【請求項２１】
前記端末が適用しなければならない時間遅延の値から、前記端末が受信するとともに処理しなければならないダウンリンク補助シンボルの個数ｎｄｌを求めるための手段を備えることを特徴とする、請求項２０に記載の無線電気通信システムの端末。
【請求項２２】
無線電気通信システムの端末であって、
前記システムは請求項１〜１０に記載のものであり、
前記端末は、前記端末の前記時間遅延の間に補助アップリンクシンボルを送信するための手段を備えることを特徴とする、無線電気通信システムの端末。
【請求項２３】
前記端末が適用しなければならない前記時間遅延の前記値から、前記端末が前記時間遅延の期間の間に送信しなければならないアップリンク補助シンボルの個数ｎｕｌを求めるための手段を備えることを特徴とする、請求項２２に記載の無線電気通信システムの端末。
【請求項２４】
端末の前記時間遅延が求められない限り、その端末の前記時間遅延は、前記ガード期間に等しいものとみなされることを特徴とする、請求項２０〜２３のいずれか一項に記載の端末。
【請求項２５】
双方向通信チャネルで端末と通信することを目的とした少なくとも一つの基地局を含む無線電気通信システムにおける伝送方法において、
各チャネルは、ダウンリンクタイムスロット及びアップリンクタイムスロットに分割されたフレームをサポートし、
各ダウンリンクタイムスロットは、少なくとも一つの端末に送信されることを目的とした複数のシンボルを含み、
前記方法は、
ダウンリンクタイムスロットに含まれるシンボルを前記基地局から端末へ送信するステップと、
前記ダウンリンクタイムスロットに含まれる前記シンボルを各端末により受信するステップと、
前記端末と前記基地局との間の距離に応じた時間遅延で、他のシンボルをその後のアップリンクタイムスロットで各端末により送信するステップであって、そのように送信された前記シンボルが、前記ダウンリンクタイムスロットの前記基地局による前記送信の終了から、前記距離に関わらず一定のあらかじめ定義されたガード期間だけ隔てられた時刻に、前記基地局によって受信されるようにする、他のシンボルを送信するステップと
を含む、伝送方法であって、
前記伝送方法は、
少なくとも一つの補助ダウンリンクシンボルを、前記少なくとも補助ダウンリンクシンボルを前記端末の前記時間遅延の間に受信できる端末へ、前記ガード期間の間に前記基地局により送信するステップ、及び／又は、
少なくとも一つの補助アップリンクシンボルを、前記少なくとも一つの補助シンボルを前記端末の前記時間遅延の間に送信できる端末から、前記ガード期間の間に前記基地局により受信するステップ
を含むことを特徴とする、伝送方法。
【請求項２６】
前記基地局に接続された各端末の前記時間遅延を求めるステップと、
前記基地局が、基地局から距離ｄにある端末へ、最大でｎｄｌ個の補助ダウンリンクシンボルを送信することを可能にするステップであって、前記端末の前記時間遅延は、ｎｄｌ個のダウンリンクシンボルの継続時間に、受信モードから送信モードへのスイッチングの時間ＲＴＳを加えた時間と、ｎｄｌ＋１個のダウンリンクシンボルの継続時間に、前記受信モードから前記送信モードへのスイッチングの前記時間ＲＴＳを加えた時間との間に含まれる、補助ダウンリンクシンボルを送信することを可能にするステップと、
前記端末が、前記ｎｄｌ個の補助シンボルを受信するとともに処理することを可能にするステップと
を含むことを特徴とする、請求項２５に記載の伝送方法。
【請求項２７】
前記基地局に接続された各端末の前記時間遅延を求めるステップと、
前記基地局から距離ｄにある端末が、最大でｎｕｌ個の補助アップリンクシンボルを送信することを可能にするステップであって、前記端末の前記時間遅延は、ｎｕｌ個のアップリンクシンボルの継続時間に、受信モードから送信モードへのスイッチングの時間ＲＴＳを加えた時間と、ｎｕｌ＋１個のアップリンクシンボルの継続時間に、前記受信モードから前記送信モードへのスイッチングの前記時間ＲＴＳを加えた時間との間に含まれる、補助アップリンクシンボルを送信することを可能にするステップと、
前記基地局が、前記最大でｎｕｌ個の補助アップリンクシンボルを受信することを可能にするステップと
を含むことを特徴とする、請求項２５又は２６に記載の伝送方法。
【請求項２８】
基地局から距離ｄにある端末の前記時間遅延を求める前記ステップは、その端末のラウンドトリップ遅延ＲＴＤ（ｄ）の値を前記ガード期間の値から差し引くステップを含むことを特徴とする、請求項２６又は２７に記載の伝送方法。
【請求項２９】
前記ガード期間の前記値は、考慮対象の基地局から所定の基準距離ｄｒｅｆにある端末のラウンドトリップ遅延ＲＴＤ（ｄｒｅｆ）の値に、前記受信モードから前記送信モードへのスイッチングの前記時間ＲＴＳを加えた値によって与えられることを特徴とする、請求項２８に記載の伝送方法。
【請求項３０】
端末の前記時間遅延が求められない限り、どの補助シンボル内にも情報は含まれないことを特徴とする、請求項２５〜２９のいずれか一項に記載の伝送方法。
【請求項３１】
接続された各端末に、その端末が適用しなければならない前記時間遅延について通知するためのステップを含むことを特徴とする、請求項２５〜３０のいずれか一項に記載の伝送方法。
【請求項３２】
端末の前記時間遅延が求められない限り、その端末の前記時間遅延は、前記ガード期間に等しいものとみなされることを特徴とする、請求項３１に記載の伝送方法。
【請求項３３】
基準タイムスロットのシンボルに使用するものとは異なる変調方式、符号化方式、及び／又は多重化方式を前記補助シンボルに使用するステップを含み、
前記基地局は、特定の制御情報を、その補助シンボルを受信できる前記端末へ送信して、前記端末は、前記補助シンボルの検出、復号、及び多重分離を行うことを特徴とする、請求項２５〜３２のいずれか一項に記載の伝送方法。
【請求項３４】
補助シンボルに関係する前記特定の制御情報は、この補助シンボル内に含まれることを特徴とする、請求項３３に記載の伝送方法。
【発明の詳細な説明】
【技術分野】
【０００１】
本発明は、双方通信チャネルで端末と通信することを目的とした少なくとも基地局を含む無線電気通信システムに関する。
【０００２】
無線電気通信システムには、移動端末が長い距離を時に機敏に移動できる移動電気通信システムだけでなく、端末が固定されるか、又は、接続された基地局に対して短い距離を、多くの場合は非常にゆっくりと移動することしかできない電気通信システムも含まれることに留意されたい。
【０００３】
図１は、基地局によってサービス提供される無線セルラー電気通信システムを図示している。基地局は、ここでは、２つの基地局ＢＴＳ１及びＢＴＳ２であり、各基地局は、少なくとも１つの端末と通信することを目的としている。ここでは、２つの端末ＴＥ１及びＴＥ２が、それぞれ無線通信チャネルＣＨ１及びＣＨ２で基地局ＢＴＳ１と通信する。図１の時点では、端末ＴＥ１は、基地局ＢＴＳ１から距離ｄ１にあるのに対して、端末ＴＥ２は、基地局ＢＴＳ１から距離ｄ２にある。基地局ＢＴＳによってカバーされるエリアは、一般にセルと呼ばれる。上記セルの境界は、基地局から最大限とみなされる距離にある。
【０００４】
各チャネルＣＨｉ（ｉ＝１、２）は、端末ＴＥｉから基地局ＢＴＳへ情報を搬送するためのアップリンクＵＬｉ、及び、基地局ＢＴＳから端末ＴＥｉへの情報のためのダウンリンクＤＬｉをサポートすることを目的としている。上記情報は、アップリンクＵＬｉ又はダウンリンクＤＬｉのいずれかに割り当てられるタイムスロットに分割されたフレーム内に同封される。
【０００５】
フレームは、たとえば、図２に示すタイプを有する。すなわち、ＨＤ／ＯＦＤＭタイプ（半二重（Half Duplex）／直交周波数分割多重（Orthogonal Frequency Division Multiplex）／ＯＦＤＭの略語）であるＴＤＤ／ＯＦＤＭ（時分割複信／ＯＦＤＭ）又はＦＤＤ／ＯＦＤＭ（周波数分割複信(Frequency Division Duplex）のいずれかを有する。図２に見ることができるように、このフレームは、整数個ＬのタイムスロットＴＳ１〜ＴＳＬに細分割される。これらのタイムスロットは、ダウンリンクＤＬ又はアップリンクＵＬのいずれかに割り当てることができる。さらに、各タイムスロットＴＳｊ（ｊ＝１〜Ｌ）は、ｋ個の直交変調周波数ｆ１〜ｆｋによってそれぞれ搬送されるｑｊ個のシンボルｓ１〜ｓｑｊをサポートする（ここでは、タイムスロットＴＳｊについて、ｑｊ＝８である）。これらのシンボルは、ＯＦＤＭシンボルと呼ばれる。タイムスロットＴＳｊのＯＦＤＭシンボルｓ１〜Ｓｑｊのそれぞれは、一般に、シンボル間の干渉の抑制に努めるのに使用されるサイクリックプリフィックスを含むことに留意されたい。
【０００６】
一般的な場合に、タイムスロットあたりのシンボル数は、タイムスロット毎に変化し得ると理解しなければならない。
【０００７】
図３に関して、基地局ＢＴＳによるダウンリンクＤＬでのｑｊ＝８個のシンボルｓ１〜ｓ８の、時刻ｔｅにおける送信を考察してみよう。これらのシンボルｓ１〜ｓ８は、考慮対象のセルの境界（基地局ＢＴＳから距離ｄｒｅｆ）にある端末ＴＥｒｅｆによって、ｔｅ＋ＲＴＤ（ｄｒｅｆ）／２に等しい時刻に受信される（ＲＴＤ（ｄｒｅｆ）は、基地局ＢＴＳから上記距離ｄｒｅｆのその端末ＴＥｒｅｆへのラウンドトリップ遅延である）。これらのシンボルは、この端末によって処理され、この端末はまた、その後、アップリンクＵＬでシンボルを送信する。端末は、アップリンクで送信する前に、ハードウェアオペレーション及びソフトウェアオペレーションの継続時間を考慮するために、或る期間待たなければならない。この或る期間は、上記受信送信切り換え時間（Receive Transmit Switch time）又は単にスイッチング時間であり、ＲＴＳと呼ばれる。たとえば、この遅延ＲＴＳは、端末のハードウェア機器が受信と送信とを切り換えるのに必要な時間、及び、基地局のハードウェア機器が送信と受信とを切り換えるのに必要な時間の最大値である。アップリンクＵＬで送信されるシンボルは、ｔｅ＋ＲＴＤ（ｄｒｅｆ）＋ＲＴＳ＋ＤＤＬに等しい時刻ｔｒに基地局ＢＴＳで受信される。ＤＤＬは、ｑｉ個のシンボルの全継続時間である。このように、基地局ＢＴＳは、セルの境界に位置する端末によって送信されたシンボルの処理を行うために、それらシンボルの受信を待たなければならないことが分かる。この待ち時間は、ガード期間（Guard Period）ＧＰと呼ばれ、ラウンドトリップ遅延ＲＴＤ（ｄｒｅｆ）に受信送信切り換え時間ＲＴＳを加えたものに少なくとも等しくなければならない。
【０００８】
ダウンリンクＤＬとアップリンクＵＬとの間のガード期間ＧＰを図２に見ることができる。
【０００９】
上記で考察した或るＴＥｒｅｆよりも基地局ＢＴＳに近い端末の場合、タイミング遅延ＴＤ（ｄ）は、一般に、アップリンクＵＬでのシンボルの送信の場合、基地局ＢＴＳに接続されたすべての端末ＴＥから送信されたシンボルが、基地局ＢＴＳに同じ時刻ｔｒで受信されるように決定され、且つ、適用される。換言すれば、ガード期間ＧＰは、考察されている端末を基地局ＢＴＳから隔てる距離に関わらず一定である。
【００１０】
諸文献では、タイミング進み（timing advance）ＴＡの表記は周知であることに留意されたい。上記で定義したようなタイミング遅延ＴＤは、以下のようにガード期間ＧＰを考察することによって、タイミング進みＴＡにリンクさせることができる。
ＴＡ＝ＧＰ−ＴＤ
【００１１】
上述した電気通信システムによって対処される問題は、ガード期間ＧＰの間、いかなる種類の情報も送信されないことに起因する資源の潜在的な喪失に関するものである。
【００１２】
非常に大きなセルの場合、ガード期間の継続時間は、タイムスロットのｑｊ個のシンボルの継続時間よりも大きくなる可能性があることに留意されたい。
【００１３】
【特許文献１】米国特許第６８１００２３号明細書（段落００４８）
【特許文献２】欧州特許出願公開第１２３３５６６号明細書（カラム５、５１行目〜５５行目）
【特許文献３】欧州特許出願公開第１５１１１９０号明細書（要約）
【００１４】
本発明は、双方向通信チャネルで端末と通信することを目的とした基地局を含む無線電気通信システムであって、資源のより良い使用を実行できるようなシステム、を提供することによって、上述した問題を解決することを目的とする。
【００１５】
したがって、本発明は、双方向通信チャネルで端末と通信することを目的とした少なくとも一つの基地局を含む無線電気通信システムにおいて、各チャネルは、ダウンリンクタイムスロット及びアップリンクタイムスロットに分割されたフレームをサポートし、各ダウンリンクタイムスロットは、少なくとも一つの端末に送信されることを目的とした複数のシンボルを含み、端末が、アップリンクタイムスロットが後に続くダウンリンクタイムスロットに含まれるすべてのシンボルを受信した後、端末と基地局との間の距離に応じた時間遅延で、アップリンクタイムスロットで他のシンボルを送信して、そのように送信されたシンボルが、ダウンリンクタイムスロットの基地局による送信の終了から、距離に関わらず一定のあらかじめ定義されたガード期間だけ隔てられた時刻に、基地局によって受信されるようにする、無線電気通信システムであって、基地局は、少なくとも一つの補助ダウンリンクシンボルを、少なくとも一つの補助ダウンリンクシンボルを端末の時間遅延の間に受信できる端末へ、ガード期間の間に送信するための手段、及び／又は、少なくとも一つの補助アップリンクシンボルを、少なくとも一つの補助アップリンクシンボルを端末の時間遅延の間に送信できる端末から、ガード期間の間に受信するための手段を備えることを特徴とする、無線電気通信システムに関する。
【００１６】
本発明による無線電気通信システムは、無線電気通信システムに接続された各端末の時間遅延を求めるための手段と、基地局が、基地局から距離ｄにある端末へ、最大でｎｄｌ個の補助ダウンリンクシンボルを送信することを可能にするための手段であって、端末の時間遅延は、ｎｄｌ個のダウンリンクシンボルの継続時間に、受信モードから送信モードへのスイッチングの時間ＲＴＳを加えた時間と、ｎｄｌ＋１個のダウンリンクシンボルの継続時間に、受信モードから送信モードへのスイッチングの時間ＲＴＳを加えた時間との間に含まれる、補助ダウンリンクシンボルを送信することを可能にするための手段と、端末が、ｎｄｌ個の補助ダウンリンクシンボルを受信するとともに処理することを可能にするための手段と
を備えてもよい。
【００１７】
無線電気通信システムはまた、無線電気通信システムに接続された各端末の時間遅延を求めるための手段と、基地局から距離ｄにある端末が、最大でｎｕｌ個の補助アップリンクシンボルを送信することを可能にするための手段であって、端末の時間遅延は、ｎｕｌ個のアップリンクシンボルの継続時間に、受信モードから送信モードへのスイッチングの時間ＲＴＳを加えた時間と、ｎｕｌ＋１個のアップリンクシンボルの継続時間に、受信モードから送信モードへのスイッチング時間ＲＴＳを加えた時間との間に含まれる、補助アップリンクシンボルを送信することを可能にするための手段と、基地局が、最大でｎｕｌ個の補助アップリンクシンボルを受信するとともに処理することを可能にするための手段とを備えてもよい。
【００１８】
本発明の一態様によれば、基地局から距離ｄにある端末の時間遅延を求めるための手段は、その端末のラウンドトリップ遅延ＲＴＤ（ｄ）の値をガード期間の値から差し引くための手段を含む。ガード期間の値は、考慮対象の基地局から所定の基準距離ｄｒｅｆにある端末のラウンドトリップ遅延ＲＴＤ（ｄｒｅｆ）に、受信モードから送信モードへのスイッチング時間ＲＴＳを加えた値によって与えられることが有利である。
【００１９】
本発明の一態様によれば、無線電気通信システムは、無線電気通信システムに接続された各端末に、その端末が適用しなければならない時間遅延について通知するための手段を備える。
【００２０】
本発明の一態様によれば、端末の時間遅延が求められない限り、どの補助シンボル内にも情報は含まれない。
【００２１】
本発明の一態様によれば、端末の時間遅延が求められない限り、その端末の時間遅延は、ガード期間に等しいものとみなされる。
【００２２】
本発明の一態様によれば、上記基地局は、基準タイムスロットのシンボルに使用するものとは異なる変調方式、符号化方式、及び／又は多重化方式を補助シンボルに使用し、上記基地局は、特定の制御情報を、その補助シンボルを受信できる端末へ送信して、端末は、上記補助シンボルの検出、復号、及び多重分離を行う。
【００２３】
本発明の一態様によれば、基地局は、補助シンボルに関係した特定の制御情報をこの補助シンボル内に含む。
【００２４】
本発明はまた、無線電気通信システムの基地局において、基地局は、双方向通信チャネルで端末と通信することを目的とし、各チャネルは、ダウンリンクタイムスロット及びアップリンクタイムスロットに分割されたフレームをサポートし、各ダウンリンクタイムスロットは、少なくとも一つの端末に送信されることを目的とした複数のシンボルを含む、基地局にも関する。
【００２５】
本発明によれば、基地局は、基地局に接続された各端末の時間遅延を求めるための手段であって、時間遅延は、アップリンクタイムスロットが後に続くダウンリンクタイムスロットに含まれるすべてのシンボルを受信した後のどの端末も、時間遅延で、アップリンクタイムスロットで他のシンボルを送信して、送信されたシンボルが、ダウンリンクタイムスロットの基地局による送信の終了から、距離に関わらず一定のあらかじめ定義されたガード期間だけ隔てられた時刻に、基地局によって受信されるような時間遅延である、基地局に接続された各端末の時間遅延を求めるための手段と、少なくとも一つの補助ダウンリンクシンボルを、少なくとも一つの補助ダウンリンクシンボルを端末の時間遅延の間に受信できる端末へ、ガード期間の間に送信するための手段、及び／又は、少なくとも一つの補助アップリンクシンボルを、少なくとも補助シンボルを端末の時間遅延の間に送信できる端末から、ガード期間の間に受信するための手段とを備える。
【００２６】
本発明の一態様によれば、基地局ＢＴＳは、基地局から距離ｄにある端末へ、最大でｎｄｌ個の補助ダウンリンクシンボルを送信するための手段であって、端末の時間遅延は、ｎｄｌ個のダウンリンクシンボルの継続時間に、受信モードから送信モードへのスイッチングの時間ＲＴＳを加えた時間と、ｎｄｌ＋１個のダウンリンクシンボルの継続時間に、受信モードから送信モードへのスイッチングの時間ＲＴＳを加えた時間との間に含まれる、補助ダウンリンクシンボルを送信するための手段を備える。
【００２７】
本発明の一態様によれば、基地局ＢＴＳは、基地局から距離ｄにある端末から、最大でｎｕｌ個の補助アップリンクシンボルを受信するための手段であって、端末の時間遅延は、ｎｕｌ個のアップリンクシンボルの継続時間に、受信モードから送信モードへのスイッチングの時間ＲＴＳを加えた時間と、ｎｕｌ＋１個のアップリンクシンボルの継続時間に、受信モードから送信モードへのスイッチングの時間ＲＴＳを加えた時間との間に含まれる、補助アップリンクシンボルを受信するための手段を備える。
【００２８】
本発明の一態様によれば、基地局は、基地局に接続された各端末に、その端末が適用しなければならない時間遅延について通知するための手段を備える。
【００２９】
本発明の一態様によれば、基地局は、基準タイムスロットのシンボルに使用するものとは異なる変調方式、符号化方式、及び／又は多重化方式を補助シンボルに使用し、基地局は、特定の制御情報を、その補助シンボルを受信できる端末へ送信して、端末は、補助シンボルの検出、復号、及び多重分離を行う。
【００３０】
本発明の一態様によれば、基地局は、補助シンボルに関係した特定の制御情報をこの補助シンボル内に含む。
【００３１】
本発明はまた、上述した無線電気通信システムの端末であって、端末の時間遅延の間に補助ダウンリンクシンボルを受信するとともに処理するための手段を備えることを特徴とする、端末にも関する。
【００３２】
本発明の一態様によれば、上記端末は、端末が適用しなければならない時間遅延の値から、端末が受信するとともに処理しなければならないダウンリンク補助シンボルの個数ｎｄｌを求めるための手段を備える。
【００３３】
本発明はまた、上述した無線電気通信システムの端末であって、端末の時間遅延の間に補助アップリンクシンボルを送信するための手段を備えることを特徴とする。
【００３４】
本発明の一態様によれば、端末は、端末が適用しなければならない時間遅延の値から、端末が上記時間遅延の期間の間に送信しなければならないアップリンク補助シンボルの個数ｎｕｌを求めるための手段を備える。
【００３５】
さらに、本発明は、双方向通信チャネルで端末と通信することを目的とした少なくとも一つの基地局を含む無線電気通信システムにおける伝送方法において、各チャネルは、ダウンリンクタイムスロット及びアップリンクタイムスロットに分割されたフレームをサポートし、各ダウンリンクタイムスロットは、少なくとも一つの端末に送信されることを目的とした複数のシンボルを含み、方法は、ダウンリンクタイムスロットに含まれるシンボルを基地局から端末へ送信するステップと、ダウンリンクタイムスロットに含まれるシンボルを各端末により受信するステップと、端末と基地局との間の距離に応じた時間遅延で、他のシンボルをその後のアップリンクタイムスロットで各端末により送信するステップであって、そのように送信されたシンボルが、ダウンリンクタイムスロットの基地局による送信の終了から、距離に関わらず一定のあらかじめ定義されたガード期間だけ隔てられた時刻に、基地局によって受信されるようにする、他のシンボルを送信するステップとを含む、伝送方法に関する、
【００３６】
本発明によれば、伝送方法は、少なくとも一つの補助ダウンリンクシンボルを、少なくとも補助ダウンリンクシンボルを端末の時間遅延の間に受信できる端末へ、ガード期間の間に基地局により送信するステップ、及び／又は、少なくとも一つの補助アップリンクシンボルを、少なくとも一つの補助シンボルを端末の時間遅延の間に送信できる端末から、ガード期間の間に基地局により受信するステップを含む。
【００３７】
本発明の一態様によれば、伝送方法は、基地局に接続された各端末の時間遅延を求めるステップと、基地局が、基地局から距離ｄにある端末へ、最大でｎｄｌ個の補助ダウンリンクシンボルを送信することを可能にするステップであって、端末の時間遅延は、ｎｄｌ個のダウンリンクシンボルの継続時間に、受信モードから送信モードへのスイッチングの時間ＲＴＳを加えた時間と、ｎｄｌ＋１個のダウンリンクシンボルの継続時間に、受信モードから送信モードへのスイッチングの時間ＲＴＳを加えた時間との間に含まれる、補助ダウンリンクシンボルを送信することを可能にするステップと、端末が、ｎｄｌ個の補助シンボルを受信するとともに処理することを可能にするステップとを含む。
【００３８】
本発明の一態様によれば、伝送方法は、基地局に接続された各端末の時間遅延を求めるステップと、基地局から距離ｄにある端末が、最大でｎｕｌ個の補助アップリンクシンボルを送信することを可能にするステップであって、端末の時間遅延は、ｎｕｌ個のアップリンクシンボルの継続時間に、受信モードから送信モードへのスイッチングの時間ＲＴＳを加えた時間と、ｎｕｌ＋１個のアップリンクシンボルの継続時間に、受信モードから送信モードへのスイッチングの時間ＲＴＳを加えた時間との間に含まれる、補助アップリンクシンボルを送信することを可能にするステップと、基地局が、最大でｎｕｌ個の補助アップリンクシンボルを受信することを可能にするステップとを含む。
【００３９】
本発明の一態様によれば、伝送方法は、接続された各端末に、その端末が適用しなければならない時間遅延について通知するためのステップを含む。
【００４０】
本発明の一態様によれば、伝送方法は、基準タイムスロットのシンボルに使用するものとは異なる変調方式、符号化方式、及び／又は多重化方式を補助シンボルに使用するステップを含み、基地局は、特定の制御情報を、その補助シンボルを受信できる端末へ送信して、端末は、補助シンボルの検出、復号、及び多重分離を行う。
【００４１】
本発明の一態様によれば、補助シンボルに関係する特定の制御情報が、この補助シンボル内に含まれる。
【００４２】
上述した本発明の特徴及びそれ以外の特徴は、添付図面と関連して与えられた以下の説明を読むことによってより明らかになる。
【００４３】
本発明を示した図面によれば、送信中のシンボルは、細い線で表されているのに対して、受信中のシンボルはより太い線で表されている。
【００４４】
本発明は、図１に示すような無線電気通信システムにより、図２に示すような半二重（ＨＤ）タイプのフレームを使用して実行することができ、たとえば、ＴＤＤタイプ、又は、端末が、異なる周波数帯域で、しかも異なるタイムスロットの期間中に信号を送受信するＨＤ／ＦＤＤのいずれかのフレームを使用して実行することができる。
【００４５】
ＴＤＤシステム及びＨＤ  ＦＤＤシステムの双方の場合において、分かるように、ダウンリンクのタイムスロットとアップリンクのタイムスロットとの間にガード期間が必要とされ、タイミング進みが同様に適用可能である。したがって、本発明は、ＨＤ  ＦＤＤにも適用可能である。
【００４６】
なお一方、ＦＤＤでは、基地局は、本発明が適用されない全二重（ＦＤ）の能力を有する端末と、本発明が適用される半二重（ＨＤ）の能力を有する端末との双方と並列に通信する場合がある。各ＨＤ−ＦＤＤ端末について、上記基地局は、（アップリンクの周波数帯域での）アップリンクのタイムスロット及び（ダウンリンクの周波数帯域での）ダウンリンクのタイムスロットが同じ期間中に割り当てられないことを適切なスケジューリングメカニズムで正しく保証しさえすれば良い。
【００４７】
次に、図４に関して、基地局ＢＴＳによるｑｊ個のシンボル（明確にするためにｑｊ＝７）ｓ１〜ｓ７（ここでは、基準数ｎｒｅｆに等しい個数のシンボルを含む基準タイムスロットと呼ばれるものを形成する）の、ｔｅと呼ばれる時刻におけるダウンリンクＤＬでの送信を考察しよう。本明細書本文の前文で説明したように、基準タイムスロットの最後のダウンリンクシンボルｓ７を送信した後、基地局ＢＴＳは、基地局に接続されたすべての端末からのアップリンクシンボルを受信するために、時刻ｔｒまでのいわゆるガード期間ＧＰという期間の間を待たなければならない。ダウンリンクの基準タイムスロットの継続時間をＤｒｅｆとする。Ｄｒｅｆは、シンボルの基準数ｎｒｅｆ、たとえば７、に対応する。
【００４８】
ガード期間ＧＰの継続時間は、以下のように決定することができる。基地局ＢＴＳからの基準距離ｄｒｅｆにある端末ＴＥｒｅｆ、たとえばセルの境界にある端末ＴＥｒｅｆは、基地局ＢＴＳによって送信されたダウンリンク基準タイムスロットのダウンリンクシンボルｓ１〜ｓ７を、そのダウンリンク基準距離ｄｒｅｆに対応するラウンドトリップ遅延ＲＴＤ（ｄｒｅｆ）の半分に等しい遅延で受信する。ダウンリンク基準タイムスロットのすべてのダウンリンクシンボルｓ１〜ｓ７を受信し、受信モードから送信モードへ切り換えた後（この切り換えオペレーションはＲＴＳの間続く）、端末は、細線で示すように、アップリンクＵＬでアップリンクシンボルを送信する。これらのアップリンクシンボルは、同様に基準距離ｄｒｅｆに対応するラウンドトリップ遅延ＲＴＤ（ｄｒｅｆ）の半分に等しい遅延内で基地局ＢＴＳに受信される。時刻ｔｒは、したがって、以下のように求めることができる。
ｔｒ＝ｔｅ＋Ｄｒｅｆ＋ＲＴＤ（ｄｒｅｆ）＋ＲＴＳ
【００４９】
ガード期間ＧＰの継続時間は、この場合、
ＧＰ＝ＲＴＤ（ｄｒｅｆ）＋ＲＴＳ
に等しい。
【００５０】
ガード期間ＧＰは、距離ｄとは無関係であることに留意されたい。ガード期間ＧＰは事前に定義されており、基地局ＢＴＳからの端末ＴＥの距離ｄに関わらず一定である。
【００５１】
基地局ＢＴＳから距離ｄにある端末ＴＥは、基地局ＢＴＳによって送信された基準タイムスロットのダウンリンクシンボルｓ１〜ｓ７を、その距離ｄに対応するラウンドトリップ遅延ＲＴＤ（ｄ）の半分に等しい遅延で受信する。この端末ＴＥは、基準タイムスロットのすべてのダウンリンクシンボルを受信した後、アップリンクシンボルを時刻ｔｔにアップリンクＵＬで送信する。この時刻ｔｔは、そのように送信されたアップリンクシンボルが、遅延値がその距離ｄに対応するラウンドトリップ遅延ＲＴＤ（ｄ）の半分に等しくなる遅延で、上述した時刻ｔｒに受信されるような時刻である。基準タイムスロットの受信の終了とアップリンクＵＬでの送信との間の時間遅延期間ＴＤ（ｄ）は、次のように表すことができる。
ＴＤ（ｄ）＝ｔｒ−ｔｅ−Ｄｒｅｆ−ＲＴＤ（ｄ）＝ＧＰ−ＲＴＤ（ｄ）
【００５２】
時間遅延ＴＤ（ｄ）は距離ｄに依存し、距離ｄが長いほど、時間遅延ＴＤ（ｄ）が小さくなることに留意されたい。
【００５３】
また、基地局ＢＴＳに接続された各端末の時間遅延ＴＤ（ｄ）は、たとえば、対応する端末によって送信されたパイロット信号に基づき、且つ、対応する端末のラウンドトリップ遅延ＲＴＤ（ｄ）を上記パイロット信号の特徴から推定することにより、基地局ＢＴＳが求めることができることにも注意されたい。
【００５４】
本発明によれば、ダウンリンクタイムスロットに補助ダウンリンクシンボルを含めるために、基地局が設けられる。上記補助ダウンリンクシンボルは、それら補助下りシンボルを受信して処理することができる端末のみに、その各時間遅延の間に送信されることを目的としている。
【００５５】
本発明の別の態様によれば、基地局ＢＴＳから距離ｄに位置する端末について、時間遅延ＴＤ（ｄ）が、ｎｄｌ個のダウンリンクシンボルの継続時間にスイッチング時間ＲＴＳを加えた時間と、ｎｄｌ＋１個のダウンリンクシンボルの継続時間にスイッチング時間ＲＴＳを加えた時間との間に含まれる場合、基地局ＢＴＳは、その端末のための情報をｎｄｌ個の補助ダウンリンクシンボルに挿入することができる。この条件は、数学的には次のように記述することができる。
ｎｄｌ・ｔｓｄｌ≦ＴＤ（ｄ）−ＲＴＳ＜（ｎｄｌ＋１）ｔｓｄｌである場合、最大でｎｄｌ個の補助シンボルを挿入する。
ｔｓｄｌは、１つのダウンリンクシンボルの継続時間である。
【００５６】
端末ＴＥのための情報をｎｄｌ個の補助ダウンリンクシンボルに挿入する場合、基地局ＢＴＳは、（シグナリングによって）この挿入をその端末ＴＥに示し、端末ＴＥが、これらｎｄｌ個の補助シンボルをそれ以外のシンボルと共に読み出して処理するようにする。
【００５７】
たとえば、基地局ＢＴＳは、当該基地局ＢＴＳに接続された各端末ＴＥに、その端末ＴＥが適用しなければならない時間遅延ＴＤについて通知する。その後、各端末ＴＥは、すぐ上の式を使用することによって、時間遅延ＴＤの値から、各端末が読み出して処理しなければならないシンボル数を推定する。
【００５８】
基地局が、当該基地局ＢＴＳの距離ｄにある端末ＴＥに割り当てることができる補助ダウンリンクシンボルの個数ｎｄｌは、したがって、次のように求められる。
ｎｄｌ＝ｉｎｔｅｇｅｒ｛（ＴＤ（ｄ）−ＲＴＳ）／ｔｓｄｌ｝＝ｉｎｔｅｇｅｒ｛（ＧＰ−ＲＴＤ（ｄ）−ＲＴＳ）／ｔｓｄｌ｝
【００５９】
補助シンボルの最大数Ｎｄｌｍａｘは、基地局ＢＴＳから距離０に位置する端末ＴＥについて与えられる。その端末ＴＥについて、ラウンドトリップ遅延ＲＴＤは０である。すなわち、
Ｎｄｌｍａｘ＝ｉｎｔｅｇｅｒ｛（ＧＰ−ＲＴＳ）／ｔｓｄｌ｝
【００６０】
図４に示すケースでは、数値Ｎｄｌｍａｘは２であるので、送信されるダウンリンクシンボルの総数はここでは９である。すなわち、基準タイムスロットのダウンリンクシンボルｓ１〜ｓ７、並びに、通例はガード期間ＧＰとみなされる期間に送信される２つの補助ダウンリンクシンボルＳ８及びＳ９（クロスハッチングしたもの）の９つである。一般にセルの境界への距離である基準距離ｄｒｅｆにある端末ＴＥｒｅｆの時間遅延ＴＤ（ｄｒｅｆ）の値は、時間遅延の定義によりスイッチング時間ＲＴＳに等しい。基準タイムスロットの７つのダウンリンクシンボルｓ１〜ｓ７のみが、基地局ＢＴＳによって上記端末ＴＥｒｅｆに割り当てられる。端末ＴＥｒｅｆは、それら７つのダウンリンクシンボルｓ１〜ｓ７のみを読み出して処理し、２つの補助シンボルｓ８及びｓ９があったとしても、これら補助シンボルは無視される。
【００６１】
端末ＴＥ１の時間遅延ＴＤ（ｄ１）の値は、２つのダウンリンクシンボルの継続時間にスイッチング時間を加えたものよりも小さいが、一方で、１つのダウンリンクシンボルの継続時間にスイッチング時間ＲＴＳを加えたものに等しい。したがって、基地局ＢＴＳは、最大で１つの補助ダウンリンクシンボル（ここでは、基準タイムスロットの最後のダウンリンクシンボルｓ７に続くダウンリンクシンボルｓ８）内でその端末ＴＥ１へ情報を送信することができる。この補助ダウンリンクシンボルは、上記端末ＴＥ１によって読み出されて処理される。シンボルｓ９がもしあっても、このシンボルｓ９は、上記端末ＴＥ１によって無視される。この場合、その端末ＴＥ１のための情報を含むことができるダウンリンクシンボルの総数は８（基準タイムスロットｓ１〜ｓ７の７つに１つの補助シンボルｓ８を加えたもの）である。
【００６２】
端末ＴＥ２の時間遅延ＴＤ（ｄ２）の値は、２つのダウンリンクシンボルの継続時間にスイッチング時間ＲＴＳを加えたものに等しい。したがって、基地局ＢＴＳは、最大で２つの補助ダウンリンクシンボルｓ８及びｓ９内でその端末ＴＥ２へ情報を送信することができる。これら２つの補助ダウンリンクシンボルｓ８及びｓ９は、上記端末ＴＥ２によって読み出されて処理される。その端末ＴＥ２のための情報を含むダウンリンクシンボルの総数は９（基準タイムスロットｓ１〜ｓ７の７つに２つの補助ダウンリンクシンボルｓ８及びｓ９を加えたもの）である。
【００６３】
基地局ＢＴＳは、端末ＴＥ１の距離ｄ１と端末ＴＥ２の距離ｄ２との間に含まれる基地局から距離ｄに位置するどの端末ＴＥにも、端末が読み出して処理できる最大で８つのダウンリンクシンボルで情報を送信することができる。同様に、基地局ＢＴＳは、端末ＴＥ２の距離ｄ２よりも小さな距離ｄに位置するどの端末にも、端末が読み出して処理できる最大で９つのダウンリンクシンボル内で情報を送信することができる。同様に、基地局ＢＴＳは常に、端末ＴＥ１の距離ｄ１よりも大きな距離ｄに位置するどの端末にも、端末が読み出して処理できる最大で７つのダウンリンクシンボル内で情報を送信することができる。
【００６４】
ダウンリンクシンボルｓ８は、基地局ＢＴＳからの距離がｄ１よりも小さな距離に位置する端末のための情報のみを含むのに対して、ダウンリンクシンボルｓ９は、基地局ＢＴＳからの距離がｄ２よりも小さな距離に位置する端末のための情報のみを含むことに留意されたい。
【００６５】
上述したプロセスは、時間の経過と共に割り当てを変更できることを意味する動的なプロセスであることに留意されたい。このプロセスは、端末が基地局ＢＴＳに対して自身の位置を変更することから動的なプロセスとなり得る。すなわち、端末は、最大でｎ個の補助ダウンリンクシンボルを用いてその端末のための情報を含めることができる場所から、その情報をｍ（ｍ≠ｎ）個の補助ダウンリンクシンボル内に含めることができる場所へ移動する可能性がある。
【００６６】
端末が接続された時、その端末が適用しなければならない時間遅延ＴＤに関する情報は受信されていない。受信が行われない限り、この端末に割り当てられるシンボル数は、基準数ｎｒｅｆに等しい。さらに、端末は、基準数ｎｒｅｆに等しいシンボル数を受信した後、ガード期間ＧＰに等しい時間遅延でアップリンクに送信を行う。
【００６７】
基地局から送信された（又は基地局に受信された）シンボルは、たとえば、時分割多元接続（ＴＤＭＡ）、周波数分割多元接続（ＦＤＭＡ）、又は符号分割多元接続（ＣＤＭＡ）といった多元接続メカニズムのために、一般に複数の端末によって共有される。したがって、データと共に制御情報も送信して、各端末が、適切な多重化方式、変調方式、及び符号化方式を使用することにより、自身の特定のデータを多重化して符号化する（アップリンク送信の場合）か、又は、検出して多重分離する（ダウンリンク受信の場合）ことを可能にしなければならない。一般に、制御情報は、タイムスロットのあらかじめ定義されて予約された部分で送信され、たとえば、タイムスロットの最初のシンボルｓ１で送信される。その後、この情報は、各端末が、タイムスロットの後続のシンボルにおいて自身の特定のデータを検出するのに使用される。
【００６８】
タイムスロットのすべてのシンボルについて一定の送信電力を仮定すると、本発明によって提供される補助ダウンリンクシンボルは、それらシンボルがダウンリンクタイムスロットに加えられる時に、基準タイムスロットよりも効率的な変調方式及び符号化方式の使用を可能にすることができる。実際に、半二重端末が基地局から遠くにある、すなわち、半二重端末が非常に大きな送信電力を必要とする場合、その半二重端末に到達するために基準ダウンリンクタイムスロットの期間中に費やされるエネルギーは、他の端末（たとえば、基地局に近い半二重端末）の補助ダウンリンクシンボルの送信中に再利用することができる。その結果、補助ダウンリンクシンボルの場合、近い端末ほど、信号対雑音比の改善による利益を得ることができる。これによって、より効率的な変調方式及び符号化方式の送信の使用が可能になり、したがって、データ転送速度がさらに増加する。したがって、端末が新しい適切な変調方式及び符号化方式を使用して補助ダウンリンクシンボルの多重化及び検出を行うために、特定の制御情報を端末へ送信しなければならない。
【００６９】
本発明によれば、補助ダウンリンクシンボルに関係した特定の制御情報は、たとえば、周波数又は符号のいずれかに制御情報及びデータを多重化することによって、この補助ダウンリンクシンボル内に含められる。その結果、基準タイムスロットの処理は影響を受けず、補助シンボルを送信できない場合にも、資源が浪費されることはない。
【００７０】
（図２に示すような）１つのタイムスロットあたり数個の副搬送波が使用されるＯＦＤＭベースの送信の場合、制御情報は、たとえば、タイムスロットの基準部分（たとえば、タイムスロットの第１のシンボルｓ１）の間、データと時分割多重化されるのに対して、各補助ダウンリンクシンボルに関係した制御情報は、上記補助ダウンリンクシンボル内に周波数分割多重化される。
【００７１】
補助ダウンリンクシンボルの変調方式及び符号化方式、又は、多重化が、各端末について、基準タイムスロット構造のものと異ならない場合には、各補助ダウンリンクシンボルの特定の制御情報を必要とすることなく、基準タイムスロット構造で利用可能な制御情報を使用できることに留意されたい。
【００７２】
図５は、アップリンクに言及した本発明の別の実施の形態を示している。
【００７３】
図５に示す実施の形態では、ガード期間ＧＰは、図４の実施の形態と同様に定義される。すなわち、基準距離ｄｒｅｆにおける端末ＴＥｒｅｆのラウンドトリップ遅延ＲＴＤ（ｄｒｅｆ）に関して定義される。
【００７４】
前の実施の形態と同様に、基地局ＢＴＳから距離ｄにある端末ＴＥは、その距離ｄに対応するラウンドトリップ遅延ＲＴＤ（ｄ）の半分に等しい遅延で、基地局ＢＴＳにより送信されたダウンリンク基準タイムスロットのダウンリンクシンボルｓ１〜ｓ７を受信する。ダウンリンク基準タイムスロットのすべてのダウンリンクシンボルを受信し、受信モードから送信モードに切り換えた後、端末ＴＥは、ｑｋ個のシンボル（ｑｋは、アップリンクの基準数であり、たとえば７である）を有するので、時刻ｔｔを待って、アップリンクタイムスロットＵＬで上記アップリンク基準タイムスロットを送信しなければならないはずである。時刻ｔｔは、端末ＴＥによってそのように送信されたアップリンク基準タイムスロットの最初のアップリンクシンボルｕｌ１が、その距離ｄに対応するラウンドトリップ遅延ＲＴＤ（ｄ）の半分に等しい値の遅延を有する時刻ｔｒで基地局ＢＴＳに受信されるような時刻である。
【００７５】
基準ダウンリンクタイムスロットの受信の終了と、アップリンクＵＬでのアップリンク基準タイムスロットの送信との間の時間遅延期間ＴＤ（ｄ）は、次のように表すことができる。
ＴＤ（ｄ）＝ｔｒ−ｔｅ−Ｄｒｅｆ−ＲＴＤ（ｄ）＝ＧＰ−ＲＴＤ（ｄ）
【００７６】
本発明の本実施の形態によれば、端末ＴＥは、時間ＴＤ（ｄ）を待たずに、図５ではｓｕｌ１、ｓｕｌ２として参照されるｎｕｌ個の補助シンボルを送信する。個数ｎｕｌは、端末ＴＥを基地局ＢＴＳから隔てる距離ｄに依存する。ここでは、端末は、次の式によって与えられる時間遅延Ｔ（ｄ）を待つだけである。
Ｔ（ｄ）＝ＴＤ（ｄ）−ｎｕｌ・ｔｓｕｌ
ここで、ｔｓｕｌは、アップリンクシンボルの継続時間である。
【００７７】
より詳細には、基地局ＢＴＳから距離ｄに位置する端末について、時間遅延ＴＤ（ｄ）が、ｎｕｌ個のシンボルの継続時間にスイッチング時間ＲＴＳを加えたものと、ｎｕｌ＋１個のシンボルの継続時間にスイッチング時間ＲＴＳを加えたものとの間に含まれる場合、この端末は、基地局のための情報をｎｕｌ個の補助アップリンクシンボルに挿入することができる。この条件は、数学的には次のように記述することができる。
ｎｕｌ・ｔｓｕｌ≦ＴＤ（ｄ）−ＲＴＳ＜（ｎｕｌ＋１）ｔｓｕｌである場合、最大でｎｕｌ個の補助シンボルを挿入する。
【００７８】
基地局ＢＴＳは、ｎｕｌ個の補助シンボルへの端末ＴＥのための情報の挿入を可能にすると、その端末ＴＥがこれらｎｕｌ個の補助シンボルを他のアップリンクシンボルと共に送信するようにするために、この可能にしたことを（たとえば、シグナリングによって）その端末ＴＥに示す。
【００７９】
たとえば、基地局ＢＴＳは、当該基地局ＢＴＳに接続された各端末ＴＥに、その端末が適用しなければならない時間遅延ＴＤ（ｄ）について通知する。その後、基地局ＢＴＳの距離ｄにある各端末ＴＥは、補助シンボルの個数ｎｕｌを以下のように求めることができる。
ｎｕｌ＝ｉｎｔｅｇｅｒ｛（ＴＤ（ｄ）−ＲＴＳ）／ｔｓｕｌ｝
【００８０】
図５の端末ＴＥ１の時間遅延ＴＤ（ｄ１）の値は、１つのアップリンクシンボルの継続時間ｔｓｕｌにスイッチング時間ＲＴＳを加えたものに等しい。したがって、端末ＴＥ１は、最大で１つの補助アップリンクシンボル（ここでは、アップリンク基準タイムスロットの最初のアップリンクシンボルｕｌ１の前にあるｓｕｌ２と呼ばれるシンボル）内で情報を基地局ＢＴＳへ送信することができる。
【００８１】
図５の端末ＴＥ２の時間遅延ＴＤ（ｄ２）の値は、２つのアップリンクシンボルの継続時間にスイッチング時間ＲＴＳを加えたものに等しい。したがって、端末ＴＥ２は、最大で２つの補助アップリンクシンボル（ここでは、アップリンク基準タイムスロットの最初のアップリンクシンボルｕｌ１の前にあるアップリンクシンボルｓｕｌ１及びｓｕｌ２）内で情報を基地局ＢＴＳへ送信することができる。
【００８２】
基地局ＢＴＳからｄ２よりも小さな距離ｄを隔てられた端末ＴＥは、２つのアップリンク補助シンボルをアップリンクで送信することができる。基地局ＢＴＳから、距離ｄ１と距離ｄ２との間に含まれる距離ｄを隔てられた端末ＴＥは、１つのアップリンク補助シンボルのみをアップリンクで送信することができ、基地局ＢＴＳから、ｄ１よりも大きな距離ｄを隔たられた端末ＴＥは、補助シンボルをアップリンクで送信することができない。
【００８３】
図６は、本発明の別の実施の形態を示している。この実施の形態では、基地局ＢＴＳが、基地局ＢＴＳからの端末の距離に応じて、その端末へ送信されるか又は送信されないダウンリンク補助シンボル（ここでは、ｓｄｌとして参照される１つのダウンリンクシンボル）をダウンリンクタイムスロットに挿入することができる。また、この実施の形態では、端末ＴＥが、基地局ＢＴＳからの端末の距離に応じて、補助アップリンクシンボル（ここでは、ｓｕｌとして参照される１つのシンボル）をアップリンクタイムスロットに挿入することができる。
【００８４】
より詳細には、基地局ＢＴＳが距離ｄの端末用にダウンリンクタイムスロットに挿入できる補助シンボルの個数ｎｄｌ、及び、同端末がアップリンクに挿入できる補助シンボルの個数ｎｕｌは、次の式を満たさなければならない。
ｎｕｌ・ｔｓｕｌ＋ｎｄｌ・ｔｓｄｌ＜ＴＤ（ｄ）−ＲＴＳ
【００８５】
上述したように、基地局ＢＴＳは、当該基地局ＢＴＳに接続された各端末の時間遅延ＴＤ（ｄ）を求め、次いで、各端末に個数ｎｄｌ及び個数ｎｕｌを割り当てることができる。基地局ＢＴＳは、たとえばシグナリングによって、その点を端末ＴＥに通知する。ダウンリンク基準タイムスロットのすべてのシンボルを受信した後、端末ＴＥは、ｎｄｌ個の後続のシンボルを受信する。その後、端末ＴＥは、次の式によって与えられる時間遅延Ｔを待つ。
Ｔ（ｄ）＝ＴＤ（ｄ）−ｎｕｌ・ｔｓｕｌ−ｎｄｌ・ｔｓｄｌ
【００８６】
その後、端末ＴＥは、ｎｕｌ個の補助シンボルをアップリンクで送信し、次いで、アップリンク基準タイムスロットを送信する。
【００８７】
補助シンボルをダウンリンク及びアップリンクに割り当てる際、基地局ＢＴＳは、端末によって送信されるアップリンクシンボルが、別の端末が受信できるダウンリンク補助シンボルと重ならないように注意しなければならない。
【図面の簡単な説明】
【００８８】
【図１】本発明による方法が情報の送信に有利に使用される電気通信システムを示す概略図である。
【図２】従来のＨＤ／ＯＦＤＭフレームの構造を示すクロノグラムである。
【図３】最先端の技術による電気通信システムのダウンリンクにおける情報の送信を示すクロノグラムである。
【図４】本発明による電気通信システムのダウンリンクにおける情報の送信を示すクロノグラムである。
【図５】本発明の別の実施の形態による電気通信システムのダウンリンク及びアップリンクにおける情報の送信を示すクロノグラムである。
【図６】本発明の別の実施の形態による電気通信システムのダウンリンク及びアップリンクにおける情報の送信を示すクロノグラムである。
【図１】
2007037128.tif 000003
【図２】
2007037128.tif 000004
【図３】
2007037128.tif 000005
【図４】
2007037128.tif 000006
【図５】
2007037128.tif 000007
【図６】
2007037128.tif 000008
【外国語明細書】
2007037128.tif 000009
2007037128.tif 000010
2007037128.tif 000011
2007037128.tif 000012
2007037128.tif 000013
2007037128.tif 000014
2007037128.tif 000015
2007037128.tif 000016
2007037128.tif 000017
2007037128.tif 000018
2007037128.tif 000019
2007037128.tif 000020
2007037128.tif 000021
2007037128.tif 000022
2007037128.tif 000023
2007037128.tif 000024
2007037128.tif 000025
2007037128.tif 000026
2007037128.tif 000027
2007037128.tif 000028
2007037128.tif 000029
2007037128.tif 000030
2007037128.tif 000031
2007037128.tif 000032
2007037128.tif 000033
2007037128.tif 000034
2007037128.tif 000035
2007037128.tif 000036
2007037128.tif 000037
2007037128.tif 000038
2007037128.tif 000039
2007037128.tif 000040
2007037128.tif 000041